(57)【要約】【課題】  メンテナンスカバーが取付固定されるカバー本体の開口部の周縁部の隙間が生じ難くすることのできるカバー水栓のメンテナンスカバーの取付構造を提供すること。【解決手段】  水栓本体２を被覆するカバー１１を備えたカバー水栓１のメンテナンスカバー７０の取付構造１１０であって、カバー本体１１２と、カバー本体１１２の開口部１１３に脱着可能に取り付けられるメンテナンスカバー７０とを備えており、カラー４９，５０及びメンテナンスカバー７０には、メンテナンスカバー７０の取り付け方向において互いに係合する係合部５６，７６がそれぞれに設けられるとともに、開口部１１３におけるカラー４９，５０が拡開する方向において互いに係止する係止部５４，７４がそれぞれに設けられた。    【選択図】    図８
2008138397.tif 000002
【特許請求の範囲】
【請求項１】
水栓本体を被覆するカバーを備えたカバー水栓のメンテナンスカバーの取付構造であって、
該カバーは、カバー本体と、該カバー本体の開口部に脱着可能に取り付けられるメンテナンスカバーとから構成され、
該カバー本体及び該メンテナンスカバーには、メンテナンスカバーの取り付け方向において互いに係合する係合部がそれぞれに設けられるとともに、前記開口部におけるカバー本体の周縁部が拡開する方向において互いに係止する係止部がそれぞれに設けられることを特徴とするカバー水栓のメンテナンスカバーの取付構造。
【請求項２】
前記係止部の一方が突設片であり、他方が、メンテナンスカバーの取付方向においてこの突設片が内側にスライド装着可能なＬ字状に屈曲形成された薄板状部とすることを特徴とする請求項１に記載のカバー水栓のメンテナンスカバーの取付構造。
【請求項３】
カバー水栓の正面側に前記メンテナンスカバーが設けられ、前記メンテナンスカバーの左右に周縁部が設けられたことを特徴とする請求項１または請求項２に記載のカバー水栓のメンテナンスカバーの取付構造。
【請求項４】
前記周縁部は、メンテナンスカバーと直交する方向に沿って取り付けられた板状に形成されたことを特徴とする請求項１から請求項３のいずれかに記載のカバー水栓のメンテナンスカバーの取付構造。
【発明の詳細な説明】
【技術分野】
【０００１】
本発明は、カバー水栓のメンテナンスカバーの取付構造に関する。
【背景技術】
【０００２】
水栓本体などをカバーによって被覆したカバー水栓が知られている。このようなカバー水栓では、被覆された水栓本体の止水栓などをメンテナンスする際の利便性を高めるために、メンテナンスを行うのに必要な一部の部位のカバーのみをカバー本体に脱着可能に設け、カバー本体は固定したまま、このカバーのみを取り外してメンテナンスを可能にしたものが知られている。このようなカバーは「メンテナンスカバー」などと呼ばれている。
そして、従来、このメンテナンスカバーとカバー本体との取付構造は、図１４〜図１６に示すように、メンテナンスカバー１２０のカバー本体１２１への取り付け時に、先端に係合部１２２がついた係合片１２３を相手方に圧入し、係合部１２２を係合させて、両部材を固定するものが知られていた（例えば、特許文献１参照。）。
【０００３】
【特許文献１】特開平１０−２１３２８７号公報（図２、図７、図８）
【発明の開示】
【発明が解決しようとする課題】
【０００４】
しかしながら、この従来の取付構造では、メンテナンスカバー１２０をカバー本体１２１に固定した状態において、メンテナンスカバー１２０が取り付けられる、カバー本体の開口部１２４の周縁部１２５に外力が加えられた場合に、周縁部１２５に変形や撓みを生ずることがあり、この変形や撓みにより、メンテナンスカバー１２０とカバー本体１２１との間に隙間が生じてしまうというおそれがあった。そしてこの隙間が生ずることにより、カバー水栓１の美観が損なわれるという問題があった。
【０００５】
本発明は上記した従来のカバー水栓のメンテナンスカバーの取付構造の問題点を解消するものであり、メンテナンスカバーが取付固定されるカバー本体の開口部の周縁部の隙間が生じ難くすることのできるカバー水栓のメンテナンスカバーの取付構造を提供することを目的とする。
【課題を解決するための手段】
【０００６】
以上の課題を解決するために、本発明の採った手段を以下に説明する。本発明のカバー水栓のメンテナンスカバーの取付構造は、水栓本体を被覆するカバーを備えたカバー水栓のメンテナンスカバーの取付構造であって、該カバーは、カバー本体と、該カバー本体の開口部に脱着可能に取り付けられるメンテナンスカバーとから構成され、該カバー本体及び該メンテナンスカバーには、メンテナンスカバーの取り付け方向において互いに係合する係合部がそれぞれに設けられるとともに、前記開口部におけるカバー本体の周縁部が拡開する方向において互いに係止する係止部がそれぞれに設けられることを特徴とするカバー水栓のメンテナンスカバーの取付構造（請求項１）である。
【０００７】
このような係止部により、開口部に取り付けられるメンテナンスカバーに対して、カバー本体の周縁部が係止されて、周縁部が拡開することを防止できる。よって、カバー本体の周縁部に力が加わっても、周縁部とメンテナンスカバーとの間に隙間が生ずることを防止することができる。なお、カバー本体の「周縁部」とは、例えば、カバー本体の両側部にそれぞれ固定されたカラーなどを例示することができるが、メンテナンスカバーが取り付けられる開口部を構成するカバーの一部または前部を言う。また、係止部が設けられるカバー本体の周縁部の位置は、メンテナンスカバーからみて上下左右いずれの位置でも良く、上下左右の全ての位置、または上下左右のいずれかの位置にカバーの周縁部が存在すればよいものとする。例えば、上下左右いずれにもカバー本体の周縁部が存在すれば、それらの周縁部の４箇所の全てに係止部を設けても良く、また、いずれか特定の周縁部にのみ（例えば左右のみ）係止部を設けることとしても良い。また、開口部のうち左右のみにカバー本体が存在し、上下方向においてはメンテナンスカバーは水栓本体や壁面に隣り合うような態様においては、左右にのみ係止部を設けることとしても良い。
【０００８】
なお、係合部及び係止部の形状は特に限定されないが、係合部は、両部材に設けた突起などを例示することができ、係止部は、「Ｌ字」状に形成された係止突片と、この係止突片の内側に当接される突設片などを例示することができる。また、係止部と係合部とを一つの部位に兼用して形成しても良い。
【０００９】
また、上記したカバー水栓のメンテナンスカバーの取付構造において、前記係止部の一方が突設片であり、他方が、メンテナンスカバーの取付方向においてこの突設片が内側にスライド装着可能なＬ字状に屈曲形成された薄板状部であるものとすることもできる（請求項２）。
【００１０】
このように、メンテナンスカバーの取付方向においてスライド装着される係止部とすることにより、カバー本体へのメンテナンスカバーの取付時に、カバー本体へ係合固定すると同時に、係止部も係止状態とすることができ、取付作業を簡便・迅速に行うことができる。
【００１１】
また、上記したカバー水栓のメンテナンスカバーの取付構造において、カバー水栓の正面側に前記メンテナンスカバーが設けられ、前記メンテナンスカバーの左右に周縁部が設けられたものとしても良い（請求項３）。
【００１２】
メンテナンスカバーが正面側に設けられ、メンテナンスカバーの左右に周縁部が設けられる場合には、両部材の隙間がカバー水栓正面側に露呈し使用者の目に付きやすい。よって、美観の点から特に本発明が好適である。
【００１３】
また、上記したカバー水栓のメンテナンスカバーの取付構造において、前記周縁部は、メンテナンスカバーと直交する方向に沿って取り付けられた板状に形成されるものとすることもできる（請求項４）。
【００１４】
メンテナンスカバーと直交する方向に沿って板状の周縁部が取り付けられている場合、周縁部の変形・撓みはメンテナンスカバーに直交する方向において生ずるので、隙間が生じやすい。よって、本発明が特に有効である。
【発明の効果】
【００１５】
本発明は上記のように、カバー本体の周縁部が拡開する方向においてメンテナンスカバーと互いに係止する係止部が設けられているので、カバー本体の開口部の周縁部の隙間を生じ難くすることができる。
【発明を実施するための最良の形態】
【００１６】
次に、本発明のカバー水栓のメンテナンスカバーの取付構造の実施の形態を図を参考にして詳細に説明する。図１及び図３に示すように、本発明のカバー水栓のメンテナンスカバーの取付構造１１０は、浴室内の壁面Ａの前面に取り付けられたカウンターＢの上部に載置されるとともに、壁面Ａにねじ止め固定されるカバー水栓１に用いられるものである。このカバー水栓１は、温度調節ハンドル４により適宜の湯温に調節された混合水を、吐水切換ハンドル５の操作によって、吐水口６またはシャワーエルボ７に接続されたシャワー（図示省略）から吐水させるものである。このカバー水栓１のカバー１１は、カバー本体１１２とカバー本体１１２の正面側に脱着自在に取り付けられたメンテナンスカバー７０とから構成されている。このカバー１１内には、固定用ステー９０が取り付けられた水栓本体２が収容固定されている。また、図１から図３に示すように、カバー１１は、下部カバー２０と、左右のカラー４９、５０と、背面カバー４２と、メンテナンスカバー７０と、上側カバー４８とを備えており、これらを組み付けて全体が正面視縦長の長方形状に、側面視「Ｌ字」状に形成されている。
【００１７】
図３に示すように、下部カバー２０は、前後方向に肉薄の、上下面及び背面が開放された横断面「コ字」状に形成されている。そして、この下部カバー２０の上端面がカラー４９，５０などが載置可能な載置部３３とされている。また、正面部２６の上部及び下部には、下部カバー２０を壁面Ａにねじ止めするための固定用孔２１が開設された固定片２２，２４が突設されている。また、正面部２６には、正面部２６ほぼ前面に渡って背面側に凹設された窪み２５が設けられている。
【００１８】
また、下部カバー２０の正面部２６及び両側面部２７の下端には、段部２８が形成されている。段部２８は、カウンターＢ上面に設けられた取付口８の周縁に沿って凹設された載置部３に対応して形成されている。そしてこの段部２８の内側には、取付口８の内側に対応して形成され、段部２８から下方に延設された差込部２９が設けられている。このような差込部２９により、下部カバー２０の取付口８への取付が案内され、下部カバー２０の取付口８への取付を容易に行うことができる。また、取付口８の周縁の載置部３に対応した段部２８が設けられることにより、下部カバー２０を取付口８に取り付けた際には段部２８が載置部３上に当接載置されることになり、下部カバー２０を取付口８に安定的・確実に取り付けることができる。
【００１９】
また、各々の側面部２７の上端には、後述するように水栓本体２などが下部カバー２０上に載置される際に、カラー４９、５０の内側面に摺接する部位に設けられた薄板状の挿嵌部３０が突設されている。図５に示すように、水栓本体２などが下部カバー２０上に載置される際に、挿嵌部３０が両カラー４９、５０の内側面に摺接しつつ下部カバー２０に対する両カラー４９，５０などの位置を案内して、両カラー４９，５０などを下部カバー２０に対して適切な位置に設置することができる。挿嵌部３０は、側面部２７に沿って、その横断面が長手方向となる薄板状に形成されている。また、両挿嵌部３０の内側面には、突条３２が形成されており、挿嵌部３０を補強している。
【００２０】
図３に示すように、背面カバー４２は、正面視において、下部が開放された「コ字」状に形成されており、その本体の正面側には、カラー４９，５０及び上側カバー４８の後端部が差し込み保持される溝４３が形成されている。また、両側部４４の上部寄りには両側部４４間に懸架された補強片４５が設けられており、この補強片４５には取付孔４１が二箇所設けられている。
【００２１】
図１及び図２に示すように、上側カバー４８は、水栓本体２を収容するように正面寄りに半円筒部４６が形成された板状に設けられるものであり、半円筒部４６の手前側下端面中央付近には、メンテナンスカバー７０の凹部７２と相俟って吐水口６を突出させる半円状の凹部４７が形成されている。
【００２２】
水栓本体２は、図３及び図５に示すように、左右を長手方向とした円柱状の本体部１０と、本体部１０の背面側に接続されて「クランク」状に屈曲形成された配管部１２とを備えている。図７に示すように、本体部１０の左右両端部には、温度調節ハンドル４及び吐水切換ハンドル５が取り付けられるとともに、内蔵された各弁装置を駆動するためのスピンドル１４がそれぞれ設けられている。また、本体部１０の中央付近に下部には吐水口６が突設されており、本体部１０の中央付近背面側には、シャワーエルボ７に接続されるシャワー配管部１６が突設されている。また、配管部１２のそれぞれの屈曲部の正面側には、それぞれ、止水栓１８が設けられており、カバー水栓１の設置後には、メンテナンスカバー７０のみを取り外すことにより、これらの止水栓１８を操作することができるように構成されている。そして、配管部１２の後端部からは、カウンターＢ内の配管に接続される接続管１９がそれぞれ延設されている。
【００２３】
固定用ステー９０は、図３に示すように、背面部９２と、背面部９２の左右両側から正面側に屈曲延設された側面部９４，９６が設けられ、正面側が開放された「コ字」状に形成されている。また、左側の側面部９４の上方には、シャワーエルボ７が突設される円形の開口部９８が開設されている。この開口部９８は、カラー４９と固定用ステー９０が組み付けられた際には、カラー４９の開口部５３に対応する部位に開設されている。また、側面部９４，９６の下部の正面側には、背面部９２とほぼ平行方向に沿って屈曲形成された正面部１００が設けられている。正面部１００には、水栓本体２の止水栓１８が露呈される円形の開口部１０２が開設されている。
【００２４】
また、背面部９２の上端寄りには左右に沿って４箇所、下端寄りには２箇所のねじ止め用の取付孔１０４が開設されている。これらの上端寄りの取付孔１０４のうち、中央寄り左側の取付孔１０４’は、横長の形状に設けられている。図６に示すように、下部カバー２０上に水栓本体２などが位置決めされて壁面Ａに固定される作業においては、取付孔１０４のうち最初にこの横長の取付孔１０４’を仮止めしておくことにより、水栓本体２などの脱落を防止しつつ、その位置を微調整することができる。そして、微調整を行った後に、取付孔１０４’及び取付孔１０４を本締めして、最終的な固定を適切に行うことができる。
【００２５】
また、取付孔１０４が設けられる部位のすぐ下方の背面部９２の部位には、上記した背面カバー４２の補強片４５に対応する部位において正面側に凹設された取付凹部１０６が設けられている。また、この取付凹部１０６には、補強片４５の取付孔４１に対応した部位に取付孔１０８が設けられており、背面カバー４２と固定用ステー９０とがこれらの取付孔４１，１０８に取り付けられたねじ９によって固定可能に設けられている。
【００２６】
そして、固定用ステー９０の開口部１０２に水栓本体２の配管部１２がそれぞれ挿通固定され、固定用ステー９０と背面側カバー４２とが取付孔４１，１０８に背面側から取り付けられたねじ９によって固定されている。そして、左右のカラー４９，５０は、水栓本体２の本体部１０の両端部がその開口部５２，５３に挿通された上で、温度調節ハンドル４，吐水切換ハンドル５がスピンドル１４にそれぞれ取着されて、本体部１０端部とハンドル４，５によって水栓本体２に挟着されている。また、左右のカラー４９，５０の後端部が背面カバー４２の両側部４４の溝４３に差し込まれて固定されている。このように、背面カバー４２と、両カラー４９，５０のみが、固定用ステー９０と水栓本体２とに組み付けられた状態とされている。
【００２７】
次にカラー４９，５０について説明する。メンテナンスカバー７０は、これらのカラー４９，５０の間に取り付けられており、下部カバー２０、上側カバー４８及びこれらのカラー４９，５０に囲まれた部位の開口部１１３に取り付けられる。また、これらのカラー４９，５０が本発明に言う「周縁部」に相当する。図４及び図８に示すように、左側のカラー４９は、側面視、底面が幅狭の「逆台形」状の板状に形成されており、その上面寄りの手前側に、温度調節ハンドル４が取り付けられる円形の開口部５２が、上面寄りの奥側に、シャワーエルボ７が突設される円形の開口部５３が、それぞれ開設されている。また、本体５１の背面側を除く外周縁には、本体５１から垂直に立ち上がる周壁部６２が形成されている。また、本体５１の内側面には、後述するメンテナンスカバー７０と取付するための係止部５４、係合部５６が設けられている。また、係合部５６よりも背面側には、メンテナンスカバー７０の後端部が当接収容される当接部６６が設けられている。また、係止部５４のすぐ下方の周壁部６２の僅かに内側には、周壁部６２に沿って本体５１から立設する支持部６４が設けられている。また、右側のカラー５０は、左側のカラー４９とは、シャワーエルボ７用の開口部５３が設けられていない点を除いて、ほぼ左右対称に形成されている。
【００２８】
図８に示すように、係止部５４は、カラー４９、５０の内側面からほぼ垂直に立設する板状の基部５８と、基部５８の先端から下方にほぼ直角に延設された係止突片６０から構成されている。また、係合部５６には、図１０に示すように、カラー４９，５０の正面側の部位に、メンテナンスカバー７０の取付方向に直交する方向に沿って上方に向けて突設された突条形状の突起５７が形成されている。この突起５７が、後述するメンテナンスカバー７０の係合部７６の突起８６に係合されてメンテナンスカバー７０をカラー４９，５０に係合固定する。また、当接部６６は、カラー４９，５０の背面側の部位に、メンテナンスカバー７０の取付方向に直交する方向に沿って下方に向けて突設された突条形状の突起６７が形成されている。メンテナンスカバー７０をカラー４９，５０に取り付ける際には、メンテナンスカバー７０の後端部がこの突起６７に当接されて位置決め及び保持がなされる。なお、本例では突起５７及び突起６７は、突条形状としたが、これに限られず種々の形状とすることができ、例えば、突部状に形成することとしても良い。しかしながら、メンテナンスカバー７０の安定した係合、位置決め及び保持を行うためには、上記したように突条形状とすることが望ましい。
【００２９】
また、メンテナンスカバー７０がカラー４９，５０間に取り付けられた際には、メンテナンスカバー７０の正面部７１の中央付近の両端部裏側が、支持部６４により支持可能に設けられる。よって、メンテナンスカバー７０の正面部７１に対して奥側に力が加わった場合でも、正面部７１の両端部が容易には奥側に撓まないように設けられ、正面部７１の両端部がカラー４９，５０から奥側にずれないように構成されている。
【００３０】
図４及び図８に示すように、メンテナンスカバー７０は、正面部７１とこの正面部７１の下端から背面側に屈曲延設された底面部７３を備えており、全体が右側面視ほぼ「Ｌ字」状に形成されている。メンテナンスカバー７０の正面部７１上端中央付近には、吐水口６を突出させるための半円状の凹部７２が形成されている。また、裏側面には、上記した係止部５４，係合部５６と各々係止、係合して両カラー４９，５０とを取付固定する係止部７４と係合部７６とが、左右端付近両側にそれぞれ形成されている。
【００３１】
係止部７４は、正面部７１のやや上部寄りの左右両端に、背面側に向けて突設されている。係止部７４は、先端が開放された側面視ほぼ「コ字」状に形成されており、上側突設片８０と下側突設片８１とが備えられている。そして、図９に示すように、これらの上側突設片８０と下側突設片８１との間に、カラー４９，５０の係止部５４の基部５８が差込可能な間隔に設けられている。また、下側突設片８１の内側端面は、メンテナンスカバ−７０の左右端面とカラー４９，５０の周壁部６２とがほぼ当接する状態に差し込まれ状態で、係止突片６０が当接可能な位置に設けられている。
【００３２】
また、係合部７６は、底面部７３のやや正面側寄りの左右両端に、上方に向けて突設されている。係合部７６は、底面部７３の上面から上方に向けて突設されるとともに、底面部７３の前後方向に沿ってその長手方向が形成されて上方に向けて突設された薄板状の基部８２と、この基部８２の上端から、底面部７３左右の外側に向けてほぼ直角方向に屈曲延設された薄板状の係合部片部８４とから構成されている。そして、図１０に示すように、底面部７３背面側寄りの係合部片部８４の下面には、メンテナンスカバー７０の取付方向に直交する方向に沿って下方に向けて突設され、上記した、カラー４９，５０の係合部５６の突起５７に係合される突条形状の突起８６が形成されている。なお、本例では突起８６は、突条形状としたが、これに限られず種々の形状とすることができ、例えば、突部状に形成することとしても良い。しかしながら、メンテナンスカバー７０の安定した係合を行うためには、上記したように突条形状とすることが望ましい。
【００３３】
このようにして構成されたカバー水栓１において、メンテナンスカバー７０は、カバー本体１１２に以下のように脱着される。まず、メンテナンスカバー７０のカバー本体への取り付け方法について説明する。カバー水栓１の正面側から、カラー４９，５０の間の開口部１１３に、ほぼ水平方向にメンテナンスカバー７０を移動させて取り付ける。その際に、図１１に示すように、係止部７４の上側突設片８０と下側突設片８１との間に、カラー４９，５０の係止部５４の基部５８が差込まれるようにして取り付ける。また、同時に、係合部７６の係合部片部８４が、カラー４９，５０の係合部５６の上方にスライドするようにして取り付ける。この状態で、図９に示すように、係止部５４の係止突片６０が下側突設片８１の内側端面に係止する。このように係止部５４がメンテナンスカバー７０側に係止して、カバー水栓１の左右外側方向、すなわち開口部１１３外側方向にカラー４９，５０が広がったり、撓んだりすることを防止することができる。また、カバー水栓１の左右外側方向、すなわち開口部１１３外側方向におけるメンテナンスカバー７０の固定もできる。また、係合部片部８４の下面に設けられた突起８６が係合部５６の突起５７に係合される。このようにして、メンテナンスカバー７０の取付方向において、係合部５６と係合部７６が係合することにより、メンテナンスカバー７０がカラー４９，５０に対して係合固定される。以上のようにして、図１３に示すように、メンテナンスカバー７０がカラー４９，５０に取り付けられる。
【００３４】
次いで、このメンテナンスカバー７０をカバー本体１１２から取り外すには、図ｃに示すように、カラー４９，５０に対してメンテナンスカバー７０の特に係合部７６の部位を上方に押し上げ、係合部片部８４の下面の突起８６と係合部５６の上面の突起５７との係合を外すとともに、係止部５４から係止部７４を引き抜くようにして、メンテナンスカバー７０を正面側に取り外される。
【００３５】
なお、本発明は上記した実施の形態に限られるものではなく、本発明の趣旨の範囲内で種々の変更が可能である。例えば、本実施の形態では、メンテナンスカバー７０が取り付けられるカバー本体１１２は、メンテナンスカバー７０が直接取り付けられるカラー４９，５０が、背面カバー４２、上側カバー４８、下部カバー２０と別体に形成されるものとしたが、このような態様に限られず、カラー４９，５０が背面カバー４２や上側カバー４８や下部カバー２０と一体に形成されるものでも良い。
【００３６】
また、メンテナンスカバー７０の左右に位置されるカラー４９，５０などだけではなく、メンテナンスカバー７０が下部カバー２０や上側カバー４８など隣り合い、それらのカバーとの隙間が生じうる時には、これらのカバーとの間に係止部を設けることとしても良い。また、カバー本体１１２側に係止突片６０を備えた係止部５４を設けることとしたが、これに限られず、メンテナンスカバー７０側に係止突片６０を備えた係止部を設けることとしても良い。
【図面の簡単な説明】
【００３７】
【図１】本発明のメンテナンスカバーの取付構造を用いたカバー水栓の正面図である。
【図２】カバー水栓の平面図である。
【図３】カバー水栓の一部分解斜視図である。
【図４】左右のカラー及びメンテナンスカバーの斜視図である。
【図５】カウンターに固定する際の状態を示すカバー水栓の一部分解斜視図である。
【図６】カウンターに固定する際の状態を示すカバー水栓の一部分解斜視図である。
【図７】図１のカバー水栓のＡ−Ａ線断面図である。
【図８】カラー及びメンテナンスカバーの一部分解斜視図である。
【図９】取り付けた状態のカラー及びメンテナンスカバーの一部斜視図である。
【図１０】係合部の断面図である。
【図１１】取り付ける際のカラー及びメンテナンスカバーの一部分解斜視図である。
【図１２】取り外す際のカラー及びメンテナンスカバーの一部分解斜視図である。
【図１３】取り付けた状態のカラー及びメンテナンスカバーの背面図である。
【図１４】従来のメンテナンスカバーの取付構造を用いたカバー水栓の斜視図である。
【図１５】図１５のメンテナンスカバーの側面図である。
【図１６】図１５のメンテナンスカバーの平面図である。
【符号の説明】
【００３８】
１；カバー水栓、２；水栓本体、３；載置部、４；温度調節ハンドル、５；吐水切換ハンドル、６；吐水口、７；シャワーエルボ、８；取付口、９；ねじ、１０；本体部、１１；カバー、１２；配管部、１４；スピンドル、１６；シャワー配管部、１８；止水栓、１９；接続管、２０；下部カバー、２１；固定用孔、２２，２４；固定片、２５；窪み、２６；正面部、２７；側面部、２８；段部、２９；差込部、３０；差込片、３２；突条、３３；載置部、４１；取付孔、４２；背面カバー、４３；溝、４４；両側部、４５；補強片、４６；半円筒部、４７；凹部、４８；上側カバー、４９、５０；カラー、５１；本体、５２；開口部、５３；開口部、５４；係止部、５６；係合部、５７；突起、５８；基部、６０；係止突片、６２；周壁部、６４；支持部、６６；当接部、６７；突起、７０；メンテナンスカバー、７１；正面部、７２；凹部、７３；底面部、７４；係止部、７６；係合部、８０；上側突設片、８１；下側突設片、８２；基部、８４；係合部片部、８６；突起、９０；固定用ステー、９２；背面部、９４，９６；側面部、９８；開口部、１００；正面部、１０２；開口部、１０４，１０４’；取付孔、１０６；取付凹部、１０８；取付孔、１１０；取付構造、１１２；カバー本体、１１３；開口部、１２０；メンテナンスカバー、１２１；カバー本体、１２２；係合部、１２３；係合片、１２４；開口部、１２５；周縁部、Ａ；壁面、Ｂ；カウンター。
【図１】
2008138397.tif 000003
【図２】
2008138397.tif 000004
【図３】
2008138397.tif 000005
【図４】
2008138397.tif 000006
【図５】
2008138397.tif 000007
【図６】
2008138397.tif 000008
【図７】
2008138397.tif 000009
【図８】
2008138397.tif 000010
【図９】
2008138397.tif 000011
【図１０】
2008138397.tif 000012
【図１１】
2008138397.tif 000013
【図１２】
2008138397.tif 000014
【図１３】
2008138397.tif 000015
【図１４】
2008138397.tif 000016
【図１５】
2008138397.tif 000017
【図１６】
2008138397.tif 000018